(57)【要約】【課題】冊子の作成時間の短縮を図る。【解決手段】画像形成装置は、中綴じ束の断裁方法として一括断裁モードが選択されたか否かを判断する（Ｓ１００）。一括断裁モードが選択されると、一括断裁モードで形成された複数の断裁束を重ね合わせることで冊子Ｓ２を作成したときに頁順となるように、各用紙Ｓ１の表裏面のそれぞれに４頁分の画像を面付けする（Ｓ１１０）。一方、個別断裁モードが選択されると、個別断裁モードで形成された複数の断裁束を重ね合わせることで冊子Ｓ２を作成したときに頁順となるように、各用紙Ｓ１の表裏面のそれぞれに４頁分の画像を面付けする（Ｓ１５０）。一括断裁モードまたは個別断裁モードに対応した面付け印刷が終了すると、面付け印刷が終了した用紙Ｓ１を後段の後処理装置３に順次出力する（Ｓ１２０）。現在の冊子の画像の面付けが終了すると、次冊子の画像の面付けを行う（Ｓ１３０、Ｓ１４０）。【選択図】図３
2014232165.tif 000002
【特許請求の範囲】
【請求項１】
用紙の表裏のそれぞれに少なくとも４頁分の画像が面付けされた用紙を複数枚重ね合わせて中綴じおよび中折りすることで形成された中綴じ束を断裁して複数の断裁束とし、断裁した複数の前記断裁束を重ね合わせて製本することで作成される冊子の各頁に画像を形成する画像形成装置であって、
複数の前記断裁束を重ね合わせて前記冊子を作成するときに、前記冊子の各頁に形成される画像が頁順となるように１冊分の画像データの画像を各頁のそれぞれに面付けした後、次冊子における画像の面付けを行う制御部を備えることを特徴とする画像形成装置。
【請求項２】
前記制御部は、１冊分の複数の前記中綴じ束を重ねた後に当該重ねた複数の中綴じ束を一括断裁して複数の断裁束とし、複数の前記断裁束を重ね合わせることで前記冊子を作成するときに、画像が頁順となるように各頁に対して画像の面付けを行う
ことを特徴とする請求項１に記載の画像形成装置。
【請求項３】
１冊分の複数の中綴じ束を個別に断裁する個別断裁モードと、１冊分の複数の前記中綴じ束を重ねた後に当該重ねた複数の中綴じ束を一括断裁する一括断裁モードと、を選択する選択部を有し、
前記制御部は、前記選択部により選択された断裁モードに応じて画像が頁順となるように画像の面付けを行う
ことを特徴とする請求項１または請求項２に記載の画像形成装置。
【請求項４】
前記制御部は、前記冊子の最終頁を含む前記断裁束において画像が形成されない頁がある場合、当該頁に次冊子の画像の面付けを行う
ことを特徴とする請求項１から請求項３の何れか一項に記載の画像形成装置。
【請求項５】
用紙の表裏のそれぞれに少なくとも４頁分の画像を面付けする画像形成装置と、
前記画像形成装置から搬送される複数枚の用紙を重ね合わせて中綴じおよび中折じして中綴じ束を形成する束形成部を有する後処理装置と、を備え、
前記画像形成装置は、前記束形成部により形成された中綴じ束が断裁により複数の断裁束とされ、複数の前記断裁束が重ね合わされて前記冊子が作成されるときに、前記冊子の各頁に形成される画像が頁順となるように１冊分の画像データの画像を各頁のそれぞれに面付けした後、次冊子における画像の面付けを行う
ことを特徴とする画像形成システム。
【発明の詳細な説明】
【技術分野】
【０００１】
本発明は、画像形成装置および画像形成システムに関する。
【背景技術】
【０００２】
近年、大容量給紙装置や後処理装置などの周辺装置と画像形成装置とを接続することで多様なシステム構築を可能とした画像形成システムが広く利用されている。例えば冊子を作成する場合には、画像形成装置により用紙に画像を面付け印刷し、後処理装置により面付けされた複数枚の用紙を中折りおよび中綴じ処理することで１冊の冊子を作成している。
【０００３】
特許文献１および２には、複数の小冊子から１つの冊子を作成する装置が記載されている。また、特許文献３には、複数枚の記録紙の両面にそれぞれ複数の頁データを集約印刷して所定の裁断位置で裁断し、その裁断された複数の紙片を重ね合わせることにより冊子を作成するプリンタが記載されている。
【先行技術文献】
【特許文献】
【０００４】
【特許文献１】特開２００９−１０７２４７号公報
【特許文献２】特開２００２−３６５９６９号公報
【特許文献３】特開２００９−６４２６６号公報
【発明の概要】
【発明が解決しようとする課題】
【０００５】
しかしながら、上記特許文献１から３に記載される装置等では以下のような問題がある。すなわち、引用文献１および２では、中折り等を施した複数枚の用紙からなる小冊子を形成し、小冊子を複数まとめることで１冊の冊子を作成するため、冊子の作成に時間がかかってしまう。また、引用文献３では、中綴じを行わずに用紙を頁毎に断裁して冊子を作成するので、同様に１冊の冊子を作成するのまでに時間がかかってしまう。これにより、冊子作成の生産性が低下してしまうという問題が発生する。
【０００６】
そこで、本発明は、上記課題に鑑みてなされたものであり、その目的は、冊子の作成時間の短縮を図ることが可能な画像形成装置および画像形成システムを提供することにある。
【課題を解決するための手段】
【０００７】
上記課題を解決するために、本発明に係る画像形成装置は、用紙の表裏のそれぞれに少なくとも４頁分の画像が面付けされた用紙を複数枚重ね合わせて中綴じおよび中折りすることで形成された中綴じ束を断裁して複数の断裁束とし、断裁した複数の断裁束を重ね合わせて製本することで作成される冊子の各頁に画像を形成する画像形成装置であって、複数の断裁束を重ね合わせて冊子を作成するときに、冊子の各頁に形成される画像が頁順となるように１冊分の画像データの画像を各頁のそれぞれに面付けした後、次冊子における画像の面付けを行う制御部を備えるものである。
【０００８】
また、本発明に係る画像形成システムは、用紙の表裏のそれぞれに少なくとも４頁分の画像を面付けする画像形成装置と、画像形成装置から搬送される複数枚の用紙を重ね合わせて中綴じおよび中折じして中綴じ束を形成する束形成部を有する後処理装置と、を備え、画像形成装置は、束形成部により形成された中綴じ束が断裁により複数の断裁束とされ、複数の断裁束が重ね合わされて冊子が作成されるときに、冊子の各頁に形成される画像が頁順となるように１冊分の画像データの画像を各頁のそれぞれに面付けした後、次冊子における画像の面付けを行うものである。
【発明の効果】
【０００９】
本発明によれば、中綴じ束を断裁した断裁束を重ね合わせたときに頁順となるように画像を面付けし、面付けした複数の断裁束を重ね合わせることで冊子を作成するので、１冊の冊子の作成時間を短縮することができる。
【図面の簡単な説明】
【００１０】
【図１】本発明の第１の実施の形態に係る画像形成システムの構成例を示す図である。
【図２】画像形成システムのブロック構成例を示す図である。
【図３】冊子を作成する場合における画像形成装置の動作例を示すフローチャートである。
【図４】一括断裁モード時における画像の面付けを説明するための図である。
【図５】個別断裁モード時における画像の面付けを説明するための図である。
【図６】個別断裁モード時における中綴じ処理を説明するための図である。
【図７】個別断裁モード時における中折り処理を説明するための図である。
【図８】個別断裁モード時における断裁処理を説明するための図である。
【図９】個別断裁モード時における断裁束を重ね合わせた状態を説明するための図である。
【図１０】個別断裁モード時における製本処理を説明するための図である。
【図１１】一括断裁モード時における中綴じ処理を説明するための図である。
【図１２】一括断裁モード時における中折り処理を説明するための図である。
【図１３】一括断裁モード時における中綴じ束を重ね合わせた状態を説明するための図である。
【図１４】一括断裁モード時における断裁処理を説明するための図である。
【図１５】一括断裁モード時における断裁束を重ね合わせた状態を説明するための図である。
【図１６】一括断裁モード時における製本処理を説明するための図である。
【図１７】本発明の第２の実施の形態に係る画像形成システムの次冊子印刷モード時における画像の面付けを説明するための図である。
【図１８】次冊子印刷モード時における中綴じ処理を説明するための図である。
【図１９】次冊子印刷モード時における中折り処理を説明するための図である。
【図２０】次冊子印刷モード時における断裁処理を説明するための図である。
【図２１】次冊子印刷モード時における断裁束を重ね合わせた状態を説明するための図である。
【図２２】次冊子印刷モード時における製本処理を説明するための図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
＜第１の実施の形態＞
［画像形成システムの構成例］
図１は、本発明に係る画像形成システム１の構成の一例を示している。図１に示すように、画像形成システム１は、画像形成装置２と、この画像形成装置２の用紙搬送方向下流側（以下、下流側という）に接続された後処理装置３とを備えている。画像形成装置２は、冊子を作成したときに画像が頁順となるように用紙Ｓ１に画像を面付けし、この面付けした用紙Ｓ１を後処理装置３に搬送する。後処理装置３は、画像形成装置２から搬送される複数枚の用紙Ｓ１を中綴じおよび中折りして中綴じ束を作成した後に、この中綴じを断裁して複数の断裁束とし、これら複数の断裁束を重ね合わせて製本処理することにより１冊の冊子を作成する。
【００１３】
［画像形成装置の構成例］
次に、画像形成装置２について詳細に説明する。図１に示すように、画像形成装置２は、原稿搬送部１１と、画像読取部１２と、画像形成部１３と、操作表示部１４とを有している。原稿搬送部１１は、画像読取部１２の読取位置に原稿を１枚ずつ搬送する。画像読取部１２は、原稿搬送部１１により搬送された原稿又は原稿台１６に載置された原稿の画像を読み取って、画像データを生成する。
【００１４】
画像形成部１３は、ドラム状の感光体２１と、感光体２１の周囲に配置された帯電部２２、露光部２３、現像部２４、転写部２５Ａ、分離部２５Ｂ及びクリーニング部２６を有している。帯電部２２は、感光体２１の表面を一様に帯電する。露光部２３は、原稿から読み取られた画像データに基づいて、感光体２１上に露光走査を行って潜像を形成する。現像部２４は、トナーを付着させることにより潜像を現像して感光体２１の表面にトナー像を形成する。
【００１５】
用紙Ｓ１は、用紙収容部２７に収納されている。この用紙Ｓ１は、給紙部２８Ａにより給紙されて転写部２５Ａが配置された転写位置へ送られる。転写部２５Ａは、転写位置へ送られた用紙Ｓ１上にトナー像を転写する。分離部２５Ｂは、トナー像が転写された用紙Ｓ１の裏面の電荷を消去して、用紙Ｓ１を感光体２１から分離する。感光体２１の表面に残留しているトナーは、クリーニング部２６により除去される。
【００１６】
感光体２１から分離された用紙Ｓ１は、中間搬送部２８Ｂにより搬送され、定着部２９へ送られる。定着部２９は、加圧ローラーおよび加熱ローラーを有しており、用紙Ｓ１に転写されたトナー像を加熱定着する。
【００１７】
定着部２９における用紙Ｓ１の下流側には、切換ゲート２８Ｃが配置されている。切換ゲート２８Ｃは、定着部２９を通過した用紙Ｓ１の搬送路を切り換える。すなわち、切換ゲート２８Ｃは、片面画像形成におけるフェースアップ排紙を行う場合に、用紙Ｓ１を直進させる。これにより、用紙Ｓ１は、一対の排紙ローラー２８Ｄによって排紙される。また、切換ゲート２８Ｃは、片面画像形成におけるフェースダウン排紙及び両面画像形成を行う場合に、用紙Ｓ１を下方に配置された用紙反転搬送部２８Ｅへ案内する。
【００１８】
フェースダウン排紙を行う場合は、用紙Ｓ１を切換ゲート２８Ｃによって下方へ案内した後、用紙Ｓ１の後端が切換ゲート２８Ｃを通過した時点で用紙の搬送方向を切り換え、一対の排紙ローラー２８Ｄによって排紙する。両面画像形成を行う場合は、用紙Ｓ１を切換ゲート２８Ｃによって下方に案内して用紙反転搬送部２８Ｅに送り込んだ後、再給紙路２８Ｆに搬送することにより用紙Ｓ１を表裏反転させた状態で転写部２５Ａに再給紙する。
【００１９】
操作表示部１４は、タッチパネル等を有しており、ユーザが画像形成装置２および後処理装置３を動作させるためのジョブ情報を入力する入力部として機能する。操作表示部１４では、例えば、用紙のサイズの選択や印刷枚数の選択等をジョブ情報として入力することができる。さらに、後処理装置３による中折り処理や中綴じ処理に関する情報をジョブ情報として入力することもできる。これらのジョブ情報は、画像形成装置２にネットワークを介して接続されるコンピュータの操作部から入力することもできる。
【００２０】
操作表示部１４は、スタートボタンを有している。ユーザが操作表示部１４によりジョブ情報を入力してスタートボタンを押圧することにより、画像形成装置２および後処理装置３は、入力されたジョブ情報に基づいた動作を開始する。
【００２１】
［後処理装置の構成例］
後処理装置３は、図１に示すように、導入部４０と、第１の中間スタッカ３１と、端部綴じステープラ３５と、第２の中間スタッカ４２と、中綴じステープラ５０と、中折り部５５とを備えている。なお、中綴じステープラ５０および中折り部５５は、束形成部の一例を構成している。
【００２２】
導入部１０は、画像形成装置２から排出された用紙Ｓ１を後処理装置３の内部に導入する。導入部１０から導入された用紙Ｓ１は、図示しない切替ゲートの切り替えに基づいて第１の搬送路Ｒ１および第２の搬送路Ｒ２の何れか一方の搬送路に搬送される。動作モードがノールモードまたは端部綴じモードの場合、用紙Ｓ１は第１の搬送路Ｒ１に搬送される。動作モードが冊子を作成する冊子作成モードの場合、用紙Ｓ１は第２の搬送路Ｒ２に搬送される。
【００２３】
第１の搬送路Ｒ１に搬送された用紙Ｓ１は、動作モードがノーマルモードのうち厚紙などの特殊用紙を排出する場合、搬送路Ｒ１１を経由して機外上部に設けられた上段排紙トレイ７２に排出される。第２の搬送路Ｒ２に搬送された用紙Ｓ１は、動作モードがノールモードのうち用紙Ｓ１を大量排紙する場合または端部綴じモードの場合、搬送路Ｒ１２を経由して第１の中間スタッカ３１に排出される。
【００２４】
動作モードが用紙Ｓ１を大量排紙する場合、第１の中間スタッカ３１に排出された用紙Ｓ１は、排紙ローラー３２により中段排紙トレイ７３に排出される。端部綴じモードの場合、第１の中間スタッカ３１に排出された複数枚の用紙Ｓ１は、端部綴じステープラ３５により端部綴じが行われ、その後、排紙ローラー３２により中段排紙トレイ７３に排出される。
【００２５】
第２の搬送路Ｒ２に搬送された用紙Ｓ１は、搬送ローラー４１により第２の中間スタッカ４２に搬送される。第２の中間スタッカ４２には、操作表示部１４等で設定された枚数の用紙Ｓ１が積載される。設定された枚数の用紙Ｓ１が集積されると、複数枚の用紙Ｓ１は第２の中間スタッカ４２の上方側に設けられた中綴じステープラ５０に搬送される。
【００２６】
中綴じステープラ５０は、ドライバ５１とクリンチャ５２とから構成され、ドライバ５１とクリンチャ５２とが第２の中間スタッカ４２を介して対向して配置されている。ドライバ５１は用紙Ｓ１の中央位置にステープル（針）を刺入し、クリンチャ５２はドライバ５１によって用紙Ｓ１に刺入した針先を折り曲げる。このようにして、複数枚の用紙Ｓ１を中綴じ処理して中綴じ束Ｕを作成する。中綴じ処理により作成された中綴じ束Ｕは、第２の中間スタッカ４２の略中央部に設けられた中折り部５５に搬送される。
【００２７】
中折り部５５は、第２の中間スタッカ４２の下面側に配置される一対の折りローラー５６，５６と、第２の中間スタッカ４２の上面側に一対の折りローラー５６，５６と対向するように配置される折り板５７とを有している。折り板５７は、第２の中間スタッカ４２に対して垂直方向に下降していき、中綴じ束Ｕの中央位置を一対の折りローラー５６，５６の間に押し込む。一対の折りローラー５６，５６は、互いの回転方向が向き合う方向（矢印方向）に回転することで、折り板５７によって押し込まれる中綴じ束Ｕを中折りする。中折りされた中綴じ束Ｕは、排紙ローラー６３によって搬送され、機外の下段排紙トレイ６４に排出される。
【００２８】
なお、後処理装置３の下流側に、中綴じ束の断裁を行う断裁装置や複数の断裁束を製本処理する製本装置を接続することもできる。また、断裁装置および製本装置は、後処理装置３の内部に設けることもできる。断裁装置や製本装置は、後処理装置の一つとして機能する。
【００２９】
［画像形成システムのブロック構成例］
次に、本発明に係る画像形成システム１のブロック構成例について説明する。図２は、本発明に係る画像形成システム１のブロック構成の一例を示している。図２に示すように、画像形成システム１の画像形成装置２は、画像形成システム１の全体動作を制御する制御部１００を備えている。制御部１００は、ＣＰＵ(Central Processing Unit)を有しており、後述する制御プログラムに従って後処理装置３と連動しながら画像形成処理や後処理を実行する。
【００３０】
また、制御部１００は、中綴じ冊子を作成する際の中綴じ束の断裁モードとして、個別断裁モードと一括断裁モードとを有している。個別断裁モードとは、中綴じおよび中折り処理した中綴じ束を個別（単体）に断裁処理するモードである。一括断裁モードとは、中綴じおよび中折り処理した中綴じ束を複数重ね合わせた後、重ね合わせた複数の中綴じ束を一括で断裁処理するモードである。
【００３１】
制御部１００には、操作表示部１４と、記憶部１７と、画像処理部１８と、画像形成部１３と、通信部１５０とがそれぞれ接続されている。操作表示部１４は、例えば冊子を作成する際における画像形成処理や後処理に関する印刷設定情報を受け付け、受け付けた印刷設定情報に基づくジョブ情報を制御部１００に供給する。
【００３２】
印刷設定情報としては、例えば、紙種情報、サイズ情報、後処理モードの有無を示す情報、個別断裁モードまたは一括断裁モードの選択を示す選択情報、冊子を構成する用紙Ｓ１の枚数情報、冊子の印刷部数情報、冊子を作成する場合の画像の面付け情報（2 in 1,4 in 1等）等がある。なお、ジョブ情報は、画像形成装置２にネットワークを介して接続された図示しないコンピュータ等の操作部からも受け付けることができる。この場合、画像を表すＰＤＬ（Page Description Language）形式の印刷データをジョブ情報に含めることができる。
【００３３】
記憶部１７は、ＲＯＭ(Read Only Memory)と、ＲＡＭ(Random Access Memory)と、ＨＤＤ（Hard Disk Drive）とを有している。ＲＯＭは、画像形成装置２の基本動作を制御するプログラム等を格納する。ＲＡＭは、作業領域として制御プログラムを一時的に保持する。ＨＤＤは、ＯＳや制御プログラム等を格納する。
【００３４】
画像処理部１８は、画像読取部１２やコンピュータ等から供給されたジョブ情報に基づいて印刷用の画像データを生成する。画像処理部１８は、冊子Ｓ２を作成する後処理が選択された場合、各断裁モードに応じて画像が頁順となるように画像データの頁順を入れ替える処理（画像の割り付け処理）を行う。
【００３５】
画像形成部１３は、制御部１００の制御により、画像処理部１８により生成された画像データに基づく印刷画像を用紙収容部２７等から給紙される用紙Ｓ１に印刷する。画像形成部１３は、冊子Ｓ２を作成する後処理が選択されている場合、各断裁モードに対応した面付け印刷を各用紙Ｓ１に対して行う。
【００３６】
通信部１５０は、後処理装置３の通信部５５０に接続され、後処理装置３との間において印刷設定情報の通信を行う。印刷設定情報には、個別断裁モードまたは一括断裁モードの選択を示す選択情報、冊子を構成する用紙Ｓ１の枚数情報、冊子の印刷部数情報が含まれている。
【００３７】
後処理装置３は、通信部５５０と、制御部５００と、折り板駆動部５１０と、折りローラー駆動部５２０と、ステープル駆動部５３０と、断裁用駆動部５４０とを備えている。通信部５５０は、画像形成装置２の通信部１５０に接続され、画像形成装置２から送信される印刷設定情報を受信すると共に受信した印刷設定情報を制御部５００に供給する。
【００３８】
制御部５００は、ＣＰＵ等を有しており、画像形成装置２から送信された印刷設定情報に基づいて後処理装置３の各部の動作を制御することにより中折り、中綴じ、断裁等の後処理を実行する。
【００３９】
折り板駆動部５１０は、制御部５００から供給される駆動信号に基づいて駆動し、折り板５７を昇降移動させることで中綴じ束Ｕ（用紙Ｓ１）を一対の折りローラー５６，５６間に押し込む。折りローラー駆動部５２０は、制御部５００から供給される駆動信号に基づいて駆動し、折りローラー５６，５６を回転駆動させることで中綴じ束Ｕの中折り処理を行う。
【００４０】
ステープル駆動部５３０は、制御部５００から供給される駆動信号に基づいて駆動し、中綴じステープラ５０を駆動させることで複数枚の用紙Ｓ１をステープルにより綴じ処理する。断裁用駆動部５４０は、制御部５００から供給される駆動信号に基づいて図示しない断裁装置を駆動し、中綴じおよび中折り処理された中綴じ束の断裁処理を行い、複数の断裁束を形成する。
【００４１】
［画像形成装置の動作例］
次に、本発明に係る中綴じの冊子Ｓ２を作成する場合における画像形成装置２の動作例について説明する。以下では、後処理モードとして中綴じ処理が選択され、４枚の用紙Ｓ１を用いて３２頁からなる冊子Ｓ２を作成する場合の例について説明する。
【００４２】
図３は、中綴じの冊子Ｓ２を作成する場合における画像形成装置２の動作の一例を示すフローチャートである。図４は、一括断裁モード時における画像の面付けを説明するための図である。図５は、個別断裁モード時における画像の面付けを説明するための図である。なお、図４および図５等では、用紙Ｓ１の４分割された各頁の左上に表側の頁番号を表記し、右下に裏側の頁番号を表記している。
【００４３】
図３に示すように、ステップＳ１００で制御部１００は、中綴じ束の断裁方法として一括断裁モードが選択されたか否かを判断する。一括断裁モードや後述する個別断裁モードの選択は、選択部の一例として機能する、例えば操作表示部１４や画像形成装置２にネットワークを介して接続されるコンピュータの操作部において選択することができる。制御部１００は、一括断裁モードが選択されたと判断された場合にはステップＳ１１０に進む。一方、制御部１００は、一括断裁モードが選択されずに個別断裁モードが選択された場合にはステップＳ１５０に進む。個別断裁モードは、一括断裁モードが選択されない場合に自動的に設定するようにしても良い。
【００４４】
一括断裁モードが選択されると、ステップＳ１１０で制御部１００は、一括断裁モードに対応した面付けを行うための画像形成制御を実行する。制御部１００は、画像処理部１８により生成された画像データに基づいて、一括断裁モードにより冊子Ｓ２を作成したときに頁順となるように、各用紙Ｓ１の表裏面のそれぞれに４頁分の画像を割り付けて印刷する。
【００４５】
具体的には、例えば用紙２枚単位で形成された中綴じ束を２束重ね合わせた後にこれら中綴じ束を一括で断裁して冊子Ｓ２を作成する場合、図４に示すように、用紙Ｓ１１，Ｓ１２の上側頁および下側頁がそれぞれ頁順となるように画像を面付け印刷する。用紙Ｓ１３，Ｓ１４についても同様に、頁順となるように画像の面付け制御を行う。
【００４６】
このとき、用紙Ｓ１１，Ｓ１２の上側頁で形成される断裁束と用紙Ｓ１３，Ｓ１４の上側頁で形成される断裁束とを重ね合わせたときに、連続した頁順となるように画像の面付けを行う（図１４参照）。同様に、用紙Ｓ１１，Ｓ１２の下側頁で形成される断裁束と用紙Ｓ１３，Ｓ１４の下側頁で形成される断裁束とを重ね合わせたときに、連続した頁順となるように画像の面付けを行う（図１４参照）。
【００４７】
一方、個別断裁モードが選択されると、ステップＳ１５０で制御部１００は、個別断裁モードに対応した面付けを行うための画像形成制御を実行する。制御部１００は、画像処理部１８により生成された画像データに基づいて、個別断裁モードで冊子Ｓ２を作成したときに頁順となるように、各用紙Ｓ１の表裏面のそれぞれに４頁分の画像の面付け制御を行う。
【００４８】
具体的には、例えば用紙２枚単位で形成された中綴じ束を個別（単体）で断裁し、断裁したこれらの断裁束同士を重ね合わせて冊子Ｓ２を作成する場合、図５に示すように、用紙Ｓ１１，Ｓ１２の上側頁および下側頁が頁順となるように画像を面付け印刷する。
【００４９】
このとき、用紙Ｓ１１，Ｓ１２の上側頁で形成される断裁束と用紙Ｓ１１，Ｓ１２の下側頁で形成される断裁束とを重ね合わせたときに、連続した頁順となるように画像の面付けを行う（図８参照）。同様に、用紙Ｓ１３，Ｓ１４の上側頁で形成される断裁束と用紙Ｓ１３，Ｓ１４の下側頁で形成される断裁束とを重ね合わせたときに、連続した頁順となるように画像の面付けを行う（図８参照）。
【００５０】
図３に戻り、一括断裁モードまたは個別断裁モードに対応した面付け印刷が終了すると、ステップＳ１２０で制御部１００は、面付け印刷が終了した用紙Ｓ１を後段の後処理装置３に順次出力（排出）する。
【００５１】
ステップＳ１３０で制御部１００は、１冊分の用紙Ｓ１の出力が終了したか否かをジョブ情報の冊子の枚数情報に基づいて判断する。制御部１００は、１冊分の用紙Ｓ１の出力が終了したと判断した場合にはステップＳ１４０に進む。一方、制御部１００は、１冊分の用紙Ｓ１の出力が終了していないと判断した場合にはステップＳ１２０に戻り、冊子Ｓ２のうち印刷が終了していない残りの用紙Ｓ１の画像の面付け印刷を行う。
【００５２】
１冊分の用紙Ｓ１の出力が終了したと判断すると、ステップＳ１４０で制御部１００は、設定された印刷部数の冊子Ｓ２の出力が終了したか否かをジョブ情報の印刷部数情報に基づいて判断する。制御部１００は、設定された印刷部数の冊子Ｓ２の出力が終了したと判断した場合には、後処理に関する一連の画像形成動作を終了する。一方、制御部１００は、設定された印刷部数の冊子Ｓ２の出力が終了していないと判断した場合にはステップＳ１２０に戻り、次冊子Ｓ２を作成するための画像形成動作を実行する。このように、本例では、１冊分の冊子Ｓ２の各用紙Ｓ１の画像の面付け印刷が終了した後に、次冊子Ｓ２の各用紙Ｓ１の画像の面付け印刷を行う。
【００５３】
［個別断裁モードが選択された場合の後処理装置の動作例］
次に、個別断裁モードが選択された場合における後処理装置３の動作例について説明する。図６は、中綴じ処理を説明するための図である。図７は、中折り処理を説明するための図である。図８は、個別断裁処理を説明するための図である。図９は、断裁束を重ね合わせた状態を説明するための図である。図１０Ａは糊付け製本処理を説明するための図であり、図１０Ｂはステープル製本処理を説明するための図である。
【００５４】
後処理装置３は、個別断裁モードが開始されると、画像形成装置２から送信される印刷設定情報に基づいて冊子形成に関する後処理を実行する。後処理装置３の第２の中間スタッカ４２には、画像形成装置２にて画像の面付けが終了した１枚目の用紙Ｓ１１が搬送され、続けて用紙Ｓ１２が搬送され、図６に示すように用紙Ｓ１１上に２枚目の用紙Ｓ１２が重ね合わされて載置される。本例では、２枚の用紙を１単位として、中綴じ処理、中折り処理、断裁処理等を行うものとする。２枚の用紙Ｓ１１，Ｓ１２は、第２の中間スタッカ４２において整合処理等が行われた後、中綴じステープラ５０に搬送される。用紙Ｓ１２に続けて搬送される用紙Ｓ１３，Ｓ１４についても同様に、用紙Ｓ１３上に用紙Ｓ１４が重ね合わされた後に、中綴じステープラ５０に搬送される。
【００５５】
中綴じステープラ５０は、図６に示すように、用紙Ｓ１１，Ｓ１２の中央位置（用紙の長手方向の中央であってかつ長手方向に直交した線上）の２箇所をステープルＳにより綴じることで中綴じ束Ｕ１を作成する。なお、図６では、見易いように便宜上用紙Ｓ１１，Ｓ１２を離間して図示している。中綴じステープラ５０の綴じ処理により作成された中綴じ束Ｕ１は、中折り部５５に搬送される。
【００５６】
用紙Ｓ１２に続けて搬送される用紙Ｓ１３，Ｓ１４についても同様に、ステープルＳにより綴じ処理されることで中綴じ束Ｕ２が作成される。なお、用紙Ｓ１３，Ｓ１４は、中綴じ束Ｕ１の中折り処理が終了した後に、第２の中間スタッカ４２に搬送されるものとする。
【００５７】
中折り部５５は、図７に示すように、ステープラ５０により綴じ処理された中綴じ束Ｕ１を中央線Ｌ１（綴じ位置）に沿って中折りする。具体的には、用紙Ｐ１２の左半分の４，１２頁側と右半分の５，１３頁側（図６参照）とが重なるように谷折りする。なお、図７等では、便宜上中折りの途中で止めた状態を図示しているが、実際には用紙の左右の両端側が重なるように折り畳まれているものとする。中綴じ束Ｕ１の中折りが終了すると、中綴じ束Ｕ２についても同様に、中央線Ｌ１に沿って中折りする。中折り処理された中綴じ束Ｕ１，Ｕ２は、図示しない断裁装置に搬送される。
【００５８】
断裁装置は、図８に示すように、中折り部５５から搬送されてくる中綴じ束Ｕ１を水平方向の断裁線Ｌ２（図７参照）に沿って断裁（分割）することで２つの断裁束Ｕ１ａ，Ｕ１ｂを形成する。断裁束Ｕ１ａは１〜８頁からなり、断裁束Ｕ１ｂは９〜１６頁からなる。続けて、断裁装置の下流側に設けられた図示しない載置台上に断裁束Ｕ１ａが搬送された後、断裁束Ｕ１ｂが搬送される。このとき、断裁束Ｕ１ａの８頁側に断裁束Ｕ１ｂの９頁側が重なるように、断裁束Ｕ１ａ上に断裁束Ｕ１ｂが載置される。
【００５９】
同様に、断裁装置は、中折り部５５から搬送されてくる中綴じ束Ｕ２を断裁線Ｌ２（図７参照）に沿って断裁することで２つの断裁束Ｕ２ａ，Ｕ２ｂを形成する。断裁束Ｕ２ａは１７〜２４頁からなり、断裁束Ｕ１ｂは２５〜３２頁からなる。中綴じ束Ｕ２の断裁処理が終了すると、載置台に既に搬送されている断裁束Ｕ１ｂ上に断裁束Ｕ２ａが載置され、断裁束Ｕ２ａ上に断裁束Ｕ２ｂが載置される。
【００６０】
このとき、断裁束Ｕ１ｂの１６頁側に断裁束Ｕ２ａの１７頁側が重なるように、断裁束Ｕ１ｂ上に断裁束Ｕ２ａが載置される。また、断裁束Ｕ２ａの２４頁側に断裁束Ｕ２ｂの２５頁側が重なるように、断裁束Ｕ２ａ上に断裁束Ｕ２ｂが載置される。このように、断裁束Ｕ１ａ，Ｕ１ｂ，Ｕ２ａ，Ｕ２ｂを重ね合わせていくことで、図９に示すように、１冊分の冊子Ｓ２を構成する断裁束Ｕ１ａ，Ｕ１ｂ，Ｕ２ａ，Ｕ２ｂを頁順に載置台上に配置することができる。
【００６１】
重ね合わされた断裁束Ｕ１ａ，Ｕ１ｂ，Ｕ２ａ，Ｕ２ｂは、断裁装置の下流側に設けられた図示しない製本装置により、図１０Ａに示すように断裁束Ｕ１ａ，Ｕ１ｂ，Ｕ２ａ，Ｕ２ｂの背部（小口とは反対側の端部）が糊付けにより糊付け製本される。これにより、１冊の冊子Ｓ２が作成される。また、図１０Ｂに示すように、断裁束Ｕ１ａ，Ｕ１ｂ，Ｕ２ａ，Ｕ２ｂの端部をステープラによりステープル製本することで１冊の冊子Ｓ２を作成することもできる。このように製本された冊子Ｓ２は、例えば週刊誌等の雑誌類に好適に用いられる。
【００６２】
［一括断裁モードが選択された場合の後処理装置の動作例］
次に、後処理として一括断裁モードが選択された場合における後処理装置３の動作例について説明する。なお、上述した個別断裁モードと共通する事項については説明を省略する。図１１は、中綴じ処理を説明するための図である。図１２は、中折り処理を説明するための図である。図１３は、中綴じ束を重ね合わせた状態を説明するための図である。図１４は、一括断裁処理を説明するための図である。図１５は、断裁束を重ね合わせた状態を説明するための図である。図１６Ａは糊付け製本処理を説明するための図であり、図１６Ｂはステープル製本処理を説明するための図である。
【００６３】
後処理装置３は、一括断裁モードが開始されると、画像形成装置２から送信される印刷設定情報に基づいて冊子形成に関する後処理を実行する。後処理装置３の第２の中間スタッカ４２には、画像形成装置２にて画像の面付けが終了した１枚目の用紙Ｓ１１および２枚目の用紙Ｓ１２が順次搬送され、図１１に示すように、用紙Ｓ１１上に用紙Ｓ１２が重ね合わされて載置される。用紙Ｓ１１，Ｓ１２は、第２の中間スタッカ４２において整合処理等が行われた後、中綴じステープラ５０に搬送される。用紙Ｓ１２に続けて搬送される用紙Ｓ１３，Ｓ１４についても同様に、用紙Ｓ１３上に用紙Ｓ１４が重ね合わされた後に中綴じステープラ５０に搬送される。
【００６４】
中綴じステープラ５０は、図１１に示すように、用紙Ｓ１１，Ｓ１２の中央位置の２箇所をステープルＳにより綴じることで中綴じ束Ｕ１を作成する。ステープラ５０により作成された中綴じ束Ｕ１は、中折り部５５に搬送される。用紙Ｓ１２に続けて搬送される用紙Ｓ１３，Ｓ１４についても同様に、ステープルＳにより綴じ処理することで中綴じ束Ｕ２を作成する。
【００６５】
中折り部５５は、図１２に示すように、中綴じステープラ５０により綴じ処理された中綴じ束Ｕ１を中央線Ｌ１に沿って中折りする。具体的には、用紙Ｐ１２の４，２０頁側と５，２１頁側（図１１参照）とが重なるように谷折りする。中綴じ束Ｕ１の中折りが終了すると、中綴じ束Ｕ２についても同様に、中央線Ｌ１に沿って中折りする。
【００６６】
中綴じ束Ｕ１，Ｕ２の中折り処理が終了すると、図１３に示すように、中綴じ束Ｕ１と中綴じ束Ｕ２とが重ね合されて載置される。具体的には、中綴じ束Ｕ１の８，２４頁側に中綴じ束Ｕ２の９，２５頁側が重なり合うように、中綴じ束Ｕ１上に中綴じ束Ｕ２が載置される。本例では、中綴じ束Ｕ１と中綴じ束Ｕ２とを重ね合わせたものを綴じ束Ｕと呼ぶ。綴じ束Ｕは、図示しない断裁装置に搬送される。なお、中綴じ束Ｕ１，Ｕ２の重ね合わせは、断裁装置側で行っても良い。
【００６７】
断裁装置は、図１４に示すように、互いに重ね合された綴じ束Ｕを水平方向の各断裁線Ｌ２（図１３参照）に沿って断裁することで２つの断裁束Ｕａ，Ｕｂを形成する。このように、中綴じ束Ｕ１，Ｕ２を重ね合わせて綴じ束Ｕとし、綴じ束Ｕを一括で断裁することにより断裁工程を中綴じ束Ｕ１，Ｕ２毎に行う場合よりも減らすことができる。断裁束Ｕａは１〜１６頁からなり、断裁束Ｕｂは１７〜３２頁からなる。
【００６８】
綴じ束Ｕの断裁処理が終了すると、図示しない載置台に断裁束Ｕａ，Ｕｂが順次搬送され、断裁束Ｕａ上に断裁束Ｕｂが載置される。このとき、図１５に示すように、断裁束Ｕａの１６頁側に断裁束Ｕｂの１７頁側が重なるように、断裁束Ｕａ上に断裁束Ｕｂが載置される。これにより、断裁束Ｕａに断裁束Ｕｂを重ねたときに頁順とすることができる。
【００６９】
重ね合わされた断裁束Ｕａ，Ｕｂは、図示しない製本装置により、図１６Ａに示すように糊付け製本されたり、図１６Ｂに示すようにステープル製本される。これにより、断裁束Ｕａ，Ｕｂを重ね合わせたときに画像が頁順に配置された１冊の冊子Ｓ２を作成することができる。このように製本された冊子Ｓ２は、上述したように、例えば週刊誌等の雑誌類に好適に用いられる。
【００７０】
以上説明したように、第１の実施の形態では、各断裁モードで形成した複数の断裁束を重ね合わせて冊子Ｓ２を作成したときに、頁順となるように画像を各頁に面付けして印刷すると共に、中綴じ束をさらに断裁して複数の断裁束とし、これら複数の断裁束を重ね合わせることで１冊の冊子Ｓ２を作成している。これにより、中綴じ束を断裁することなく単に複数の中綴じ束を重ね合わせて冊子Ｓ２を作成する場合よりも、１冊の冊子Ｓ２の作成時間を短縮することができる。その結果、完成品としての冊子Ｓ２が正常に作成されているかのチェックも迅速に行うことができ、次冊子Ｓ２の作成にも早く取り掛かることができる。
【００７１】
また、一括断裁モードを選択した場合、複数の中綴じ束を重ねて一括で断裁処理を行うので、個別に中綴じ束を断裁する場合と比べて、断裁処理に要する時間を短縮することができる。その結果、一冊の冊子Ｓ２の作成時間も短縮することができる。
【００７２】
さらに、第１の実施の形態では、１部目の冊子Ｓ２の作成が完了した後に、２部目の冊子Ｓ２を作成するので、印刷や後処理の不具合により修正を行う場合に、１部目の冊子Ｓ２を用いて不具合を確認できる。これにより、不具合がある場合には、１部目の冊子Ｓ２で不具合を早期に発見できるので、冊子Ｓ２の連続作成を中止するまでの時間を早くすることができる。これにより、不良冊子を低減することができる。
【００７３】
＜第２の実施の形態＞
上記第１の実施の形態のように冊子Ｓ２を作成する場合、冊子Ｓ２の頁数によっては用紙Ｓ１において頁が余り、画像が面付けされない空白の頁できてしまう場合がある。そこで、第２の実施の形態では、空白となる頁に次冊子Ｓ２ｎの画像を面付けすることで、次冊子Ｓ２ｎの製造期間の短縮を図っている。なお、その他の画像形成システムの構成および機能は、上記第１の実施の形態と同様であるため、共通の構成要素には同一の符号を付し、詳細な説明は省略する。
【００７４】
図１７は、次冊子面付けモード時における画像の面付けを説明するための図である。図１８は、中綴じ処理を説明するための図である。図１９は、中折り処理を説明するための図である。図２０は、個別断裁処理を説明するための図である。図２１は、断裁束を重ね合わせた状態を説明するための図である。図２２は、製本処理を説明するための図である。
【００７５】
制御部１００は、冊子作成モードが選択されると、用紙１枚に印刷する画像の集約情報や、実際に作成する冊子Ｓ２の頁数情報、中綴じ束を構成する用紙Ｓ１の束枚数情報、断裁モード情報等を印刷設定情報から取得する。制御部１００は、取得したこれらの情報に基づいて、現在の冊子Ｓ２の画像の面付け等を行う際に、次冊子の画像の面付け等を同時に行うことができるか否かを判断する。
【００７６】
以下では、取得した情報が、例えば、集約情報が４つ(4 in 1)であり、頁枚数情報が２４頁であり、束枚数情報が２枚であり、断裁モードが個別断裁モードである場合について説明する。印刷設定情報がこのような条件である場合、図１７に示すように、用紙Ｓ１は４枚必要となるが、４枚の全頁数が３２頁であるのに対して、作成する冊子Ｓ２が全２４頁であるため、８頁分余ることになる。
【００７７】
制御部１００は、用紙Ｓ１に余り頁がある場合であって、最終頁を含む断裁束の全ての頁が余白となる場合には（図２０のＵｂ２参照）、次冊子の画像の面付けを行うことができると判断する。本例では、現在の冊子Ｓ２の画像の面付け時の余った頁に次冊子Ｓ２ｎの画像の面付けを行うモードを次冊子作成モードと呼ぶ。制御部１００は、次冊子作成モードが実行可能であると判断した場合、例えば操作表示部１４の操作画面上に次冊子作成モードの選択するためのボタン等を表示させる。
【００７８】
制御部１００は、操作表示部１４等において次冊子作成モードが選択されると、次冊子作成モードに応じた画像の面付け処理を実行する。具体的には、制御部１００は、図１７に示すように、１枚目の用紙Ｓ１１の全頁、２枚目の用紙Ｓ１２の全頁、３枚目の用紙Ｓ１３および４枚目の用紙Ｓ１４の上側頁のそれぞれに、１部目の冊子Ｓ２の１〜２４頁目の画像が頁順となるように面付け印刷する。続けて、制御部１００は、３枚目の用紙Ｓ１３および４枚目の用紙Ｓ１４の下側頁のそれぞれに、２部目の冊子Ｓ２の１〜８頁目の画像が頁順となるように面付け印刷する。なお、図１７では、２部目の冊子Ｓ２に該当する頁を色付き（グレー）で示している。
【００７９】
面付けが終了すると、後処理装置３の第２の中間スタッカ４２には、画像形成装置２にて画像の面付けが終了した１枚目の用紙Ｓ１１および２枚目の用紙Ｓ１２が順次搬送され、図１８に示すように、用紙Ｓ１１上に用紙Ｓ１２が重ね合わされて載置される。用紙Ｓ１１，Ｓ１２は、第２の中間スタッカ４２において整合処理等が行われた後、中綴じステープラ５０に搬送される。用紙Ｓ１２に続けて搬送される用紙Ｓ１３，Ｓ１４についても同様に、用紙Ｓ１３上に用紙Ｓ１４が重ね合わされた後に、中綴じステープラ５０に搬送される。
【００８０】
中綴じステープラ５０は、図１８に示すように、用紙Ｓ１１，Ｓ１２の中央位置の２箇所をステープルＳにより綴じることで中綴じ束Ｕ１を作成する。作成された中綴じ束Ｕ１は、中折り部５５に搬送される。用紙Ｓ１３，Ｓ１４についても同様に、用紙Ｓ１３上に用紙Ｓ１４を重ね合わされた後にステープルＳにより綴じ処理されることで中綴じ束Ｕ２が作成される。
【００８１】
中折り部５５は、図１９に示すように、ステープラ５０により綴じ処理された中綴じ束Ｕ１を中央線Ｌ１に沿って中折りする。具体的には、用紙Ｐ１２の左半分の４，１２頁側と右半分の５，１３頁側（図１８参照）とが重なるように谷折りする。中綴じ束Ｕ１の中折りが終了すると、中綴じ束Ｕ２についても同様に、中央線Ｌ１に沿って中折りする。中折り処理された中綴じ束Ｕ１，Ｕ２は、図示しない断裁装置に搬送される。
【００８２】
断裁装置は、図２０に示すように、中折り部５５から搬送されてくる中綴じ束Ｕ１を水平方向の断裁線Ｌ２（図１９参照）に沿って断裁することで２つの断裁束Ｕ１ａ，Ｕ１ｂを形成する。断裁束Ｕ１ａは１〜８頁からなり、断裁束Ｕ１ｂは９〜１６頁からなる。中綴じ束Ｕ１の断裁処理が終了すると、図示しない載置台上に断裁束Ｕ１ａ，Ｕ１ｂが順次搬送され、断裁束Ｕ１ａ上に断裁束Ｕ１ｂが載置される。このとき、断裁束Ｕ１ａの８頁側に断裁束Ｕ１ｂの９頁側が重なるように、断裁束Ｕ１ａ上に断裁束Ｕ１ｂが載置される。
【００８３】
同様に、断裁装置は、中折り部５５から搬送されてくる中綴じ束Ｕ２を断裁線Ｌ２に沿って断裁することで２つの断裁束Ｕ２ａ，Ｕ２ｂを形成する。断裁束Ｕ２ａは１７〜２４頁からなり、断裁束Ｕ１ｂは次冊子Ｓ２ｎの１〜８頁を構成している。中綴じ束Ｕ２の断裁処理が終了すると、図示しない載置台に既に搬送されている断裁束Ｕ１ｂ上に断裁束Ｕ２ａが載置される。このとき、断裁束Ｕ１ｂの１６頁側に断裁束Ｕ２ａの１７頁側が重なるように、断裁束Ｕ１ｂ上に断裁束Ｕ２ａが載置される。このように、断裁束Ｕ１ａ，Ｕ１ｂ，Ｕ２ａを重ね合わせていくことで、図２１に示すように、１部目の冊子Ｓ２を構成する断裁束Ｕ１ａ，Ｕ１ｂ，Ｕ２ａを頁順に載置台上に配置することができる。２部目の次冊子Ｓ２ｎを構成する断裁束Ｕ１ｂは、例えば１部目の断裁束とは載置台の異なる位置に搬送される。
【００８４】
重ね合わされた断裁束Ｕ１ａ，Ｕ１ｂ，Ｕ２ａは、図示しない製本装置により、図２２Ａに示すように糊付け製本されたり、図２２Ｂに示すようにステープル製本される。これにより、１部目の冊子Ｓ２が作成される。このように製本された冊子Ｓ２は、上述したように、例えば週刊誌等の雑誌類に好適に用いられる。２部目の次冊子Ｓ２ｎについては、１〜８頁からなる断裁束が形成され、次の工程で形成される９〜３２頁からなる断裁束と重ね合わされて製本処理されることにより２部目の次冊子Ｓ２ｎが形成される。
【００８５】
以上説明したように、第２の実施の形態によれば、１部目の冊子Ｓ２の画像の面付け時において頁が余る場合には、余った頁に２部目の次冊子Ｓ２ｎの画像の面付けも同時に行うので、冊子作成の時間短縮を図ることができる。また、第２の実施の形態によれば、上記第１の実施の形態と同様の作用効果を奏することもできる。
【００８６】
なお、本発明の技術範囲は、上述した実施形態に限定されるものではなく、本発明の趣旨を逸脱しない範囲において、上述した実施形態に種々の変更を加えたものを含む。上記実施の形態では、１枚の用紙Ｓ１の表裏のそれぞれに４つの画像を割り付けて印刷したが、これに限定されることはない。例えば、１枚の用紙Ｓ１の表裏のそれぞれに６つ、８つ等の少なくとも６つ以上の画像を割り付けて印刷することもできる。１枚の用紙Ｓ１に６つの画像を割り付けて印刷した場合には、頁間の２箇所を水平方向に断裁することにより３つの断裁束を形成し、これら３つの断裁束を頁順となるように重ね合わせて製本処理することにより１冊の冊子Ｓ２を作成する。
【００８７】
また、上記実施の形態では、最初に中綴じ処理を行い、次に中折り処理を行ったが、中綴じ処理と中折り処理の順番が逆であっても良い。最初に中折り処理を行う場合には、例えば断面三角形状の鞍部材を用い、この鞍部材上に中折り処理した用紙を積載し、その後、鞍部材に設けたステープラにより中綴じ処理を行う。このように鞍部材を用いる場合には、中綴じ束の用紙枚数を多くすることができる。
【００８８】
また、上記実施の形態では、後処理装置として断裁装置や製本装置を用いた例について説明したが、これに限定されることはなく、中綴じ束の断裁や製本処理をユーザが手動により行うこともできる。また、画像形成装置としてモノクロの画像を形成する装置を用いたが、これに限定されることはなく、カラー画像を形成することが可能な画像形成装置を用いることもできる。
【符号の説明】
【００８９】
１  画像形成システム
２  画像形成装置
３  後処理装置
１４  操作表示部（選択部）
５０  中綴じステープラ（束形成部）
５５  中折り部（束形成部）
１００，５００  制御部
Ｓ１  用紙
Ｓ２  冊子
Ｓ２ｎ  次冊子
Ｕ１ａ，Ｕ１ｂ，Ｕ２ａ，Ｕ２ｂ，Ｕａ，Ｕｂ  断裁束
Ｕ１，Ｕ２  中綴じ束
【図１】
2014232165.tif 000003
【図２】
2014232165.tif 000004
【図３】
2014232165.tif 000005
【図４】
2014232165.tif 000006
【図５】
2014232165.tif 000007
【図７】
2014232165.tif 000008
【図８】
2014232165.tif 000009
【図９】
2014232165.tif 000010
【図１０】
2014232165.tif 000011
【図１２】
2014232165.tif 000012
【図１３】
2014232165.tif 000013
【図１４】
2014232165.tif 000014
【図１５】
2014232165.tif 000015
【図１６】
2014232165.tif 000016
【図１９】
2014232165.tif 000017
【図２０】
2014232165.tif 000018
【図２１】
2014232165.tif 000019
【図２２】
2014232165.tif 000020
【図６】
2014232165.tif 000021
【図１１】
2014232165.tif 000022
【図１７】
2014232165.tif 000023
【図１８】
2014232165.tif 000024